(57)【要約】【課題】  操作中のユーザが邪魔にならないように、表示画面に表示されるコンテンツをユーザ以外の人に視聴させることができるコンテンツ表示装置を提供する。【解決手段】  表示装置１０と、タッチパネル２０と、制御装置３０とを備え、制御装置３０は、表示装置１０にコンテンツ画像Ｃを表示させるコンテンツ表示部と、表示領域Ａにおいて、コンテンツ画像Ｃが表示されるパブリック画面領域Ａ１を特定するパブリック画面領域解析部３３と、タッチパネル２０による検出結果に基づいて、表示領域Ａにおける操作位置を特定する操作位置特定部３２と、特定された操作位置に、コンテンツについてのメニュー画像Ｍを表示させるメニュー表示部と、メニュー画像Ｍが表示される領域とパブリック画面領域Ａ１とが重複する場合に、非パブリック画面領域Ａ２にメニュー画像Ｍが表示されるように、メニュー画像Ｍの表示位置を変更する表示位置変更部とを有する。【選択図】      図５
2014016904.tif 000002
【特許請求の範囲】
【請求項１】
画像を表示可能な表示手段と、
前記表示手段に対するユーザの操作を検出する操作検出手段と、
前記表示手段を制御する制御手段であって、
前記表示手段にコンテンツ画像を表示させるコンテンツ表示部と、
前記表示手段における画像の表示領域において、コンテンツ画像が表示される領域またはコンテンツ画像における予め定める画像が表示される領域を特定する領域特定部と、
前記操作検出手段による検出結果に基づいて、前記表示領域において、ユーザによる操作に係る操作位置を特定する操作位置特定部と、
前記操作位置特定部によって特定された操作位置に、コンテンツについてのメニュー画像を表示させるメニュー表示部と、
前記メニュー画像が表示される領域と前記領域特定部によって特定された領域とが重複する場合に、前記表示領域のうちの前記領域特定部によって特定された領域を除く領域に該メニュー画像が表示されるように、該メニュー画像の表示位置を変更する表示位置変更部とを有する制御手段とを含むことを特徴とするコンテンツ表示装置。
【請求項２】
前記制御手段は、前記表示位置変更部によってメニュー画像の表示位置が変更される場合に、前記操作位置の近傍に、メニュー画像の表示位置が変更されることを報知するための報知画像を表示させる報知画像表示部をさらに有することを特徴とする請求項１記載のコンテンツ表示装置。
【請求項３】
前記報知画像表示部は、前記報知画像として、人の形を模式化した影を示す人影画像を表示させることを特徴とする請求項２記載のコンテンツ表示装置。
【請求項４】
前記報知画像表示部は、前記報知画像として、前記操作位置から前記表示位置変更部による変更後のメニュー画像の表示位置に向く矢印の画像を表示させることを特徴とする請求項２記載のコンテンツ表示装置。
【請求項５】
前記報知画像表示部は、前記報知画像として、メニュー画像の表示位置が変更されることを示す文字情報画像を表示させることを特徴とする請求項２記載のコンテンツ表示装置。
【請求項６】
前記メニュー表示部は、前記表示位置変更部によってメニュー画像の表示位置が変更される場合に、前記メニュー画像を、該メニュー画像が表示される領域に重複して表示されるコンテンツ画像が透けて見える態様で表示させることを特徴とする請求項１記載のコンテンツ表示装置。
【請求項７】
前記制御手段は、予め定める判定条件に基づいて、メニュー画像の表示位置を変更すべきか否かを判定する表示位置変更判定部をさらに有し、
前記表示位置変更部は、前記表示位置変更判定部が表示位置を変更すべきであると判定した場合にのみ、メニュー画像の表示位置を変更することを特徴とする請求項１記載のコンテンツ表示装置。
【請求項８】
前記表示位置変更判定部は、前記メニュー表示部によって表示されるメニュー画像が、ユーザに対して文字入力を要求しているか否かを判定し、文字入力を要求している場合に、メニュー画像の表示位置を変更すべきであると判定することを特徴とする請求項７記載のコンテンツ表示装置。
【請求項９】
前記表示位置変更判定部は、前記表示領域の大きさが、予め定める大きさよりも小さい場合に、メニュー画像の表示位置を変更すべきでないと判定することを特徴とする請求項７記載のコンテンツ表示装置。
【請求項１０】
前記表示位置変更部は、前記表示領域のうちの前記領域特定部によって特定された領域を除く領域に一のメニュー画像がすでに表示されているときに、前記領域特定部によって特定された領域に重複して表示される他のメニュー画像の表示位置を変更する場合に、一のメニュー画像と他のメニュー画像とが互いに重複しないように、前記領域特定部によって特定された領域を除く領域における各メニュー画像の配置位置を決定することを特徴とする請求項１記載のコンテンツ表示装置。
【請求項１１】
前記表示手段の周辺の予め定める領域を撮像する撮像手段をさらに含み、
前記制御手段は、前記撮像手段によって撮像された映像に基づいて、前記予め定める領域に、前記表示手段に対して操作を行っているユーザ以外の人が侵入したか否かを判定する侵入判定部をさらに有し、
前記表示位置変更部は、前記侵入判定部がユーザ以外の人が侵入したと判定した場合にのみ、メニュー画像の表示位置を変更することを特徴とする請求項１記載のコンテンツ表示装置。
【請求項１２】
コンピュータを、請求項１〜１１のいずれか１つに記載のコンテンツ表示装置における制御手段として機能させるためのプログラム。
【請求項１３】
請求項１２に記載のプログラムを記録したコンピュータ読取可能な記録媒体。
【発明の詳細な説明】
【技術分野】
【０００１】
本発明は、広告などのコンテンツを表示するコンテンツ表示装置、プログラムおよび記録媒体に関する。
【背景技術】
【０００２】
近年、広告などのコンテンツを表示装置の表示画面に表示するとともに、表示装置の表示画面に対するタッチ操作を検出し、そのタッチ操作に応じた動作を実行するように構成されるインタラクティブサイネージとも称するコンテンツ表示装置が、公共の場所に設置されている。
【０００３】
このようなコンテンツ表示装置においては、ユーザが、広告などのように多くの人に視聴させたい部分が表示されている領域（以下、「パブリック画面領域」と称する）の前に立って操作を行うと、操作を行っているユーザ以外の人にとっては、そのユーザが邪魔となって広告画像の全体を視認することができなくなってしまう。したがって、長時間にわたってパブリック画面領域の前に立って操作が行われると、広告によって視聴者に伝えられる情報量が減少し、広告の効果が低減してしまうという問題がある。
【０００４】
たとえば特許文献１，２には、広告などのコンテンツを表示するコンテンツ表示装置に関する技術が開示されているが、これらの文献には、前記のような問題を解決する方法について開示されていない。
【先行技術文献】
【特許文献】
【０００５】
【特許文献１】特開２０１０−２６３２７号公報
【特許文献２】特開２００７−２７２３６５号公報
【発明の概要】
【発明が解決しようとする課題】
【０００６】
本発明の目的は、コンテンツを表示するとともに、ユーザにより操作可能なコンテンツ表示装置において、表示画面に対して操作を行っているユーザが邪魔にならないように、表示画面に表示されるコンテンツをユーザ以外の人に視聴させることができるコンテンツ表示装置、プログラムおよび記録媒体を提供することである。
【課題を解決するための手段】
【０００７】
本発明は、画像を表示可能な表示手段と、
前記表示手段に対するユーザの操作を検出する操作検出手段と、
前記表示手段を制御する制御手段であって、
前記表示手段にコンテンツ画像を表示させるコンテンツ表示部と、
前記表示手段における画像の表示領域において、コンテンツ画像が表示される領域またはコンテンツ画像における予め定める画像が表示される領域を特定する領域特定部と、
前記操作検出手段による検出結果に基づいて、前記表示領域において、ユーザによる操作に係る操作位置を特定する操作位置特定部と、
前記操作位置特定部によって特定された操作位置に、コンテンツについてのメニュー画像を表示させるメニュー表示部と、
前記メニュー画像が表示される領域と前記領域特定部によって特定された領域とが重複する場合に、前記表示領域のうちの前記領域特定部によって特定された領域を除く領域に該メニュー画像が表示されるように、該メニュー画像の表示位置を変更する表示位置変更部とを有する制御手段とを含むことを特徴とするコンテンツ表示装置である。
【０００８】
また本発明は、前記制御手段は、前記表示位置変更部によってメニュー画像の表示位置が変更される場合に、前記操作位置の近傍に、メニュー画像の表示位置が変更されることを報知するための報知画像を表示させる報知画像表示部をさらに有することを特徴とする。
【０００９】
また本発明は、前記報知画像表示部は、前記報知画像として、人の形を模式化した影を示す人影画像を表示させることを特徴とする。
【００１０】
また本発明は、前記報知画像表示部は、前記報知画像として、前記操作位置から前記表示位置変更部による変更後のメニュー画像の表示位置に向く矢印の画像を表示させることを特徴とする。
【００１１】
また本発明は、前記報知画像表示部は、前記報知画像として、メニュー画像の表示位置が変更されることを示す文字情報画像を表示させることを特徴とする。
【００１２】
また本発明は、前記メニュー表示部は、前記表示位置変更部によってメニュー画像の表示位置が変更される場合に、前記メニュー画像を、該メニュー画像が表示される領域に重複して表示されるコンテンツ画像が透けて見える態様で表示させることを特徴とする。
【００１３】
また本発明は、前記制御手段は、予め定める判定条件に基づいて、メニュー画像の表示位置を変更すべきか否かを判定する表示位置変更判定部をさらに有し、
前記表示位置変更部は、前記表示位置変更判定部が表示位置を変更すべきであると判定した場合にのみ、メニュー画像の表示位置を変更することを特徴とする。
【００１４】
また本発明は、前記表示位置変更判定部は、前記メニュー表示部によって表示されるメニュー画像が、ユーザに対して文字入力を要求しているか否かを判定し、文字入力を要求している場合に、メニュー画像の表示位置を変更すべきであると判定することを特徴とする。
【００１５】
また本発明は、前記表示位置変更判定部は、前記表示領域の大きさが、予め定める大きさよりも小さい場合に、メニュー画像の表示位置を変更すべきでないと判定することを特徴とする。
【００１６】
また本発明は、前記表示位置変更部は、前記表示領域のうちの前記領域特定部によって特定された領域を除く領域に一のメニュー画像がすでに表示されているときに、前記領域特定部によって特定された領域に重複して表示される他のメニュー画像の表示位置を変更する場合に、一のメニュー画像と他のメニュー画像とが互いに重複しないように、前記領域特定部によって特定された領域を除く領域における各メニュー画像の配置位置を決定することを特徴とする。
【００１７】
また本発明は、前記表示手段の周辺の予め定める領域を撮像する撮像手段をさらに含み、
前記制御手段は、前記撮像手段によって撮像された映像に基づいて、前記予め定める領域に、前記表示手段に対して操作を行っているユーザ以外の人が侵入したか否かを判定する侵入判定部をさらに有し、
前記表示位置変更部は、前記侵入判定部がユーザ以外の人が侵入したと判定した場合にのみ、メニュー画像の表示位置を変更することを特徴とする。
【００１８】
また本発明は、コンピュータを、前記コンテンツ表示装置における制御手段として機能させるためのプログラムである。
【００１９】
また本発明は、前記プログラムを記録したコンピュータ読取可能な記録媒体である。
【発明の効果】
【００２０】
本発明によれば、コンテンツを表示するとともに、ユーザにより操作可能なコンテンツ表示装置において、表示画面に対して操作を行っているユーザが邪魔にならないように、表示画面に表示されるコンテンツをユーザ以外の人に視聴させることができる。
【図面の簡単な説明】
【００２１】
【図１】本発明の一実施形態に係るインタラクティブサイネージ１の外観を示す図である。
【図２】本実施形態に係るインタラクティブサイネージ１を、１人のユーザＵ１が操作している状態を示す図である。
【図３】非パブリック画面領域Ａ２に表示される情報の一例を示す図である。
【図４】表示装置１０の表示領域Ａにおけるパブリック画面領域Ａ１の一例を示す図である。
【図５】本実施形態に係るインタラクティブサイネージ１の構成を示すブロック図である。
【図６】メニュー画像Ｍの表示位置がパブリック画面領域Ａ１から非パブリック画面領域Ａ２に移動する様子を示す図である。
【図７】本実施形態に係るインタラクティブサイネージ１を、２人のユーザＵ１，Ｕ２が操作している状態を示す図である。
【図８】メニュー画像Ｍの移動先の決定方法を説明するための図である。
【図９】パブリック画面領域Ａ１の表示画面に対してタッチ操作を行ったユーザＵ１に対して、パブリック画面領域Ａ１の前から非パブリック画面領域Ａ２の前への移動を促す方法の一例を説明するための図である。
【図１０】パブリック画面領域Ａ１の表示画面に対してタッチ操作を行ったユーザＵ１に対して、パブリック画面領域Ａ１の前から非パブリック画面領域Ａ２の前への移動を促す方法の他の例を説明するための図である。
【図１１】パブリック画面領域Ａ１の表示画面に対してタッチ操作を行ったユーザＵ１に対して、パブリック画面領域Ａ１の前から非パブリック画面領域Ａ２の前への移動を促す方法のさらに他の例を説明するための図である。
【図１２】パブリック画面領域Ａ１の表示画面に対してタッチ操作を行ったユーザＵ１に対して、パブリック画面領域Ａ１の前から非パブリック画面領域Ａ２の前への移動を促す方法のさらに他の例を説明するための図である。
【図１３】本発明の他の実施形態に係るインタラクティブサイネージ１Ａの構成を示すブロック図である。
【図１４】パブリック画面領域Ａ１に重複して表示されたメニュー画像Ｍを、非パブリック画面領域Ａ２へ移動させない場合の例を説明するための図である。
【図１５】パブリック画面領域Ａ１に重複して表示されたメニュー画像Ｍを、非パブリック画面領域Ａ２へ移動させる場合の例を説明するための図である。
【図１６】メニュー移動判定部３５による判定処理の一例を示すフローチャートである。
【図１７】本発明の実施形態に係るインタラクティブサイネージ１におけるメニュー画像Ｍの移動方法の一例を示す図である。
【図１８】図１７に示す状態から、ユーザＡ〜Ｃとは異なるユーザＤがパブリック画面領域Ａ１に対してタッチ操作を行った場合の各メニュー画像Ｍａ〜Ｍｄの配置について説明するための図である。
【図１９】本発明の他の実施形態に係るインタラクティブサイネージ１Ｂの構成を示すブロック図である。
【発明を実施するための形態】
【００２２】
図１は、本発明の一実施形態に係るインタラクティブサイネージ１（コンテンツ表示装置）の外観を示す図である。本実施形態に係るインタラクティブサイネージ１は、たとえば空港、駅構内およびショッピングモールなどのような公共の場所に設置され、たとえば商品やサービスを紹介する広告画像、設置されている場所の周辺の地図を示す地図画像、および設置されている建物内の店舗の位置情報を示すフロアマップ画像などのコンテンツ画像Ｃを表示する。なお、コンテンツ画像Ｃは、ＨＴＭＬ、静止画および動画などいずれの形式であってもよい。
【００２３】
インタラクティブサイネージ１は、コンテンツ画像Ｃを表示するための表示装置１０を備え、本実施形態では、図１に示すように、表示装置１０における画像の表示領域Ａの全体ではなく、表示領域Ａのうちの予め定める一部の領域にコンテンツ画像Ｃが表示されるように構成されている。
【００２４】
以下、表示領域Ａのうちのコンテンツ画像Ｃが表示される予め定める一部の領域を、「パブリック画面領域」と称し、参照符Ａ１を付して示す。また、表示領域Ａのうちのパブリック画面領域Ａ１以外の領域を、「非パブリック画面領域」と称し、参照符Ａ２を付して示す。
【００２５】
表示装置１０は、大画面を表示可能に構成され、たとえば、縦方向の寸法Ｄ１が９０１ｍｍおよび横方向の寸法Ｄ２が１５６７ｍｍの表示領域Ａを有するように構成される。
【００２６】
このような表示装置１０は、図１に示すように、１台の大形のディスプレイ装置によって実現されてもよく、複数台のディスプレイ装置をマトリクス状に並べて構築されるマルチディスプレイ装置によって実現されてもよい。また、表示装置１０に用いられるディスプレイ装置としては、液晶ディスプレイ装置およびプラズマディスプレイ装置などのフラットパネルディスプレイ装置が好適に用いられる。
【００２７】
図２は、本実施形態に係るインタラクティブサイネージ１を、１人のユーザＵ１が操作している状態を示す図である。本実施形態に係るインタラクティブサイネージ１は、表示装置１０の表示領域Ａ内にコンテンツ画像Ｃを表示するだけでなく、ユーザによって操作可能に構成されている。
【００２８】
本実施形態では、インタラクティブサイネージ１は、表示装置１０の表示画面に対するタッチ操作を検出するタッチパネル２０（操作検出手段）を備え、ユーザによって表示画面に対してタッチ操作が行われると、そのタッチ操作に応じた動作を実行するように構成されている。
【００２９】
たとえば、図２に示すように、パブリック画面領域Ａ１にコンテンツ画像Ｃが表示されているときに、ユーザがパブリック画面領域Ａ１の表示画面に対してタッチ操作すると、タッチ位置を含む所定の領域あるいはタッチ位置近傍の所定の領域に、そのコンテンツについてのメニュー画像Ｍが、コンテンツ画像Ｃよりも前面に表示されるように構成されている。なお、メニュー画像Ｍの大きさは、コンテンツ画像Ｃの大きさに比べて小さいものとする。
【００３０】
一例を挙げると、コンテンツ画像Ｃがある商品を紹介する広告画像である場合には、ユーザがパブリック画面領域Ａ１の表示画面に対してタッチ操作すると、メニュー画像Ｍとして、「商品詳細」および「購入可能店舗」などの選択可能な複数の項目を含んだダイアログボックスが表示される。
【００３１】
さらに、このダイアログボックスに対して、たとえば「購入可能店舗」を選択するタッチ操作がユーザによって行われた場合には、当該ダイアログボックスを画面上から消去し、次のメニュー画像Ｍとして、広告に係る商品の購入可能な店舗の一覧が記述されたメッセージボックスが表示される。
【００３２】
また、コンテンツ画像Ｃが地図画像である場合（図１４および図１５参照）には、ユーザがパブリック画面領域Ａ１の表示画面に対してタッチ操作すると、メニュー画像Ｍとして、「住所表示」および「住所検索」などの選択可能な複数の項目を含んだダイアログボックスが表示される。
【００３３】
さらに、このダイアログボックスに対して、「住所表示」を選択するタッチ操作がユーザによって行われた場合には、当該ダイアログボックスを画面上から消去し、次のメニュー画像Ｍとして、地図画像において最初にタッチ操作が行われた地点の住所が記述されたメッセージボックスが表示される。一方、前記のダイアログボックスに対して、「住所検索」を選択するタッチ操作がユーザによって行われた場合には、当該ダイアログボックスを画面上から消去し、次のメニュー画像Ｍとして、住所を文字入力するための入力ボックスを含んだダイアログボックスが表示される。
【００３４】
このように、本実施形態に係るインタラクティブサイネージ１では、ユーザがパブリック画面領域Ａ１の表示画面に対してタッチ操作すると、パブリック画面領域Ａ１に表示されているコンテンツに応じたメニュー画像Ｍが表示されるように構成されている。
【００３５】
図３は、非パブリック画面領域Ａ２に表示される情報の一例を示す図である。図３に示す例では、非パブリック画面領域Ａ２には、現在の時刻および気温などの情報が表示されるとともに、パブリック画面領域Ａ１で視聴可能な複数の広告画像がサムネイル形式で表示されている。
【００３６】
この例では、非パブリック画面領域Ａ２に表示されたサムネイル形式の各広告画像は、ユーザによるタッチ操作によって選択可能とされており、一の広告画像がユーザによってタッチ操作されると、タッチ操作された前記一の広告画像が、パブリック画面領域Ａ１に表示されるように構成されている。
【００３７】
なお、非パブリック画面領域Ａ２には、上記のような情報や画像に限らず、たとえば予め設定された背景画像が表示されてもよく、黒画面または白画面のように何も表示されなくてもよい。
【００３８】
図４は、表示装置１０の表示領域Ａにおけるパブリック画面領域Ａ１の一例を示す図である。パブリック画面領域Ａ１は、様々な方法によって、その領域の大きさおよび位置が決定される。
【００３９】
たとえば、コンテンツの作成者によって、表示領域Ａに対して予め設定された直交座標系に基づいて、パブリック画面領域Ａ１を規定する各頂点の座標が予め指定されてもよい。この場合には、各頂点の座標を示す座標情報は、コンテンツデータに予め埋め込まれる。
【００４０】
または、インタラクティブサイネージ１の管理者によって、表示領域Ａに対して予め設定された直交座標系に基づいて、表示すべきコンテンツごとに、パブリック画面領域Ａ１を規定する各頂点の座標が指定できる形であってもよい。この場合には、各頂点の座標を示す座標情報は、インタラクティブサイネージ１におけるデータ記憶部３１（図５参照）に記憶される。
【００４１】
または、図３に示すような、非パブリック画面領域Ａ２に表示すべき情報に基づいて、非パブリック画面領域Ａ２の大きさおよび位置を先ず決定し、残余の領域を、パブリック画面領域Ａ１としてもよい。この場合には、たとえば非パブリック画面領域Ａ２を規定する各頂点の座標を示す座標情報が、インタラクティブサイネージ１におけるデータ記憶部３１に記憶される。すなわち、パブリック画面領域Ａ１の大きさおよび位置は、表示領域Ａの大きさと、データ記憶部３１に記憶された非パブリック画面領域Ａ２の座標情報とに基づいて取得することができる。
【００４２】
なお、図４では、パブリック画面領域Ａ１が矩形の領域として規定されている例を示しているが、パブリック画面領域Ａ１の形状は、多角形状や円形状などのように様々な形状とすることができる。
【００４３】
図５は、本実施形態に係るインタラクティブサイネージ１の構成を示すブロック図である。インタラクティブサイネージ１は、図５に示すように、画像を表示可能な表示装置１０と、表示装置１０の表示画面に対するユーザのタッチ操作を検出するタッチパネル２０と、表示装置１０およびタッチパネル２０に接続され、表示装置１０を制御する制御装置３０とを含んで構成される。
【００４４】
制御装置３０は、データ記憶部３１と、操作位置特定部３２と、パブリック画面領域解析部３３（領域特定部）と、表示制御部３４（コンテンツ表示部、メニュー表示部、表示位置変更部、報知画像表示部）とを含んで構成される。
【００４５】
データ記憶部３１には、表示装置１０に表示すべきコンテンツ画像Ｃのデータ（以下、「コンテンツデータ」と称する）、およびタッチ操作に応答して表示されるメニュー画像Ｍのデータ（以下、「メニューデータ」と称する）が記憶される。詳細には、コンテンツごとに、コンテンツデータとメニューデータとが関連付けて記憶されている。
【００４６】
また、データ記憶部３１には、前述するように、パブリック画面領域Ａ１を規定する各頂点の座標情報、または非パブリック画面領域Ａ２を規定する各頂点の座標情報が、必要に応じて記憶される。
【００４７】
操作位置特定部３２は、タッチパネル２０から出力されるタッチ操作検出信号に基づいて、表示装置１０の表示画面に対してタッチ操作が行われたことを検出するとともに、表示領域Ａにおいて、ユーザによってタッチ操作されたタッチ位置を特定する。
【００４８】
パブリック画面領域解析部３３は、前記のような方法で決定されたパブリック画面領域Ａ１の大きさおよび位置を特定する。具体的には、パブリック画面領域解析部３３は、コンテンツデータに予め埋め込まれているパブリック画面領域Ａ１の座標情報、またはデータ記憶部３１に予め記憶されているパブリック画面領域Ａ１もしくは非パブリック画面領域Ａ２の座標情報などに基づいて、パブリック画面領域Ａ１の大きさおよび位置を特定する。
【００４９】
表示制御部３４は、データ記憶部３１に記憶されているコンテンツデータを読み出し、パブリック画面領域解析部３３によって特定されたパブリック画面領域Ａ１にコンテンツ画像Ｃが表示されるように、表示装置１０による画像の表示を制御する。
【００５０】
また、表示制御部３４は、操作位置特定部３２によってタッチ操作が行われたことが検出されると、パブリック画面領域Ａ１に表示されているコンテンツ画像Ｃのコンテンツデータに関連付けられているメニューデータを読み出し、操作位置特定部３２によって特定されたタッチ位置に基づいて、そのタッチ位置を含む所定の領域あるいはタッチ位置近傍の所定の領域に、コンテンツ画像Ｃよりも前面にメニュー画像Ｍが表示されるように、表示装置１０による画像の表示を制御する。
【００５１】
本実施形態では、さらに、表示制御部３４は、メニュー画像Ｍが表示される領域とパブリック画面領域Ａ１とが重複する場合に、そのメニュー画像Ｍが非パブリック画面領域Ａ２に表示されるように、そのメニュー画像Ｍの表示位置を変更する。
【００５２】
このような制御装置３０は、マイクロプロセッサであるＣＰＵ（Central Processing 
Unit）、ＲＯＭ（Read Only Memory）、ＲＡＭ（Random Access Memory）、およびハードディスク装置などを含んで構成され、ＣＰＵが、ＲＯＭあるいはハードディスク装置に記録されているプログラムを実行することによって、データ記憶部３１、操作位置特定部３２、パブリック画面領域解析部３３、および表示制御部３４として機能する。
【００５３】
図６は、メニュー画像Ｍの表示位置がパブリック画面領域Ａ１から非パブリック画面領域Ａ２に移動する様子を示す図である。図６では、メニュー画像Ｍがコンテンツ画像Ｃに重複して表示される状態を仮想線で示している。この仮想線で示している状態は、図２に示す状態に対応している。
【００５４】
図２に示すように、コンテンツ画像Ｃに重複してメニュー画像Ｍが表示された状態でユーザＵ１によって表示装置１０に対する操作が続行されると、他のユーザ、たとえばユーザＵ２は、パブリック画面領域Ａ１の前で操作を行っているユーザＵ１、およびコンテンツ画像Ｃに重複して表示されるメニュー画像Ｍに遮られて、コンテンツ画像Ｃの全体を視認することができなくなってしまう。
【００５５】
したがって、コンテンツ画像Ｃが広告画像であれば、ユーザＵ２に対する広告効果が薄れてしまい、また、コンテンツ画像Ｃが地図画像やフロアマップ画像であれば、ユーザＵ２は、ユーザＵ１が邪魔となって、必要な情報を得ることができなくなってしまうおそれがある。
【００５６】
本実施形態によれば、表示制御部３４によって、図６に示すように、メニュー画像Ｍがコンテンツ画像Ｃに重複して表示される場合に、そのメニュー画像Ｍが非パブリック画面領域Ａ２に表示されるように、そのメニュー画像Ｍの表示位置が変更される。
【００５７】
したがって、ユーザＵ１は、操作を続行するためには、パブリック画面領域Ａ１の前から、メニュー画像Ｍの移動先である非パブリック画面領域Ａ２の前へ移動しなければならない。
【００５８】
このように、メニュー画像Ｍを非パブリック画面領域Ａ２へ移動させることで、操作を続行しようとするユーザＵ１をパブリック画面領域Ａ１の前から退避させることができるので、広告効果が低減してしまうことを防止でき、また、必要な情報を得ることができないという不快感をユーザに与えてしまうことを防止することができる。
【００５９】
図７は、本実施形態に係るインタラクティブサイネージ１を、２人のユーザＵ１，Ｕ２が操作している状態を示す図である。図７に示すように、本実施形態では、複数のユーザＵ１，Ｕ２が、表示装置１０に対して同時に操作を行うことができるように構成されている。この場合においても、表示制御部３４は、それぞれのユーザＵ１，Ｕ２に対して表示される各メニュー画像Ｍを、非パブリック画面領域Ａ２にそれぞれ移動させる。したがって、ユーザＵ１，Ｕ２以外のユーザに対する広告効果の低減を防止でき、また、必要な情報を得ることができないという不快感をユーザＵ１，Ｕ２以外のユーザに与えてしまうことを防止することができる。
【００６０】
図８は、メニュー画像Ｍの移動先の決定方法を説明するための図である。表示制御部３４は、操作位置特定部３２によってタッチ操作が検出されると、操作位置特定部３２によって特定されたタッチ位置に基づいて、表示領域Ａにおいて、そのタッチ位置に表示されるメニュー画像Ｍの前に立ってユーザが操作を続行したならば該ユーザに遮られてしまうであろう領域Ｂを推定する。
【００６１】
具体的には、タッチ位置の高さが高い場合には、そのユーザの身長は高く、身体が大きいと予想されるため、図８（ａ）において右側のメニュー画像Ｍに対応して示すように、大きめの領域として、領域Ｂが推定される。逆に、タッチ位置の高さが低い場合には、そのユーザの身長は低く、身体が小さいと予想されるため、図８（ａ）において左側のメニュー画像Ｍに対応して示すように小さめの領域として、領域Ｂが推定される。
【００６２】
また、表示制御部３４は、図８（ｂ）に示すように、メニュー画像Ｍを非パブリック画面領域Ａ２に移動させたときの、高さ方向に垂直な水平方向の移動距離Ｌを求め、この移動距離Ｌに基づいて、第１の評価値を算出する。この第１の評価値は、移動距離Ｌが小さいほど評価が高くなるような値とする。
【００６３】
さらに、表示制御部３４は、図８（ｃ）に示すように、メニュー画像Ｍの非パブリック画面領域Ａ２への移動に伴って領域Ｂを移動させたときに、領域Ｂとパブリック画面領域Ａ１とが重複する領域Ｗの面積を求め、この面積に基づいて、第２の評価値を算出する。この第２の評価値は、面積が小さいほど評価が高くなるような値とする。
【００６４】
このようにして、表示制御部３４は、メニュー画像Ｍの移動先の候補ごとに、第１および第２の評価値を求め、各評価値に対し適切な重み付けを行って得られた値に基づいて、メニュー画像Ｍの移動先を決定する。
【００６５】
図９は、パブリック画面領域Ａ１の表示画面に対してタッチ操作を行ったユーザＵ１に対して、パブリック画面領域Ａ１の前から非パブリック画面領域Ａ２の前への移動を促す方法の一例を説明するための図である。
【００６６】
図９に示す例では、表示制御部３４は、操作位置特定部３２によってタッチ操作が行われたことが検出されると、操作位置特定部３２によって特定されたタッチ位置に基づいて、そのタッチ位置を含む所定の領域にメニュー画像Ｍを表示させるとともに、そのメニュー画像Ｍの周囲に、人の形を模式化した影を示す人影画像Ｐ１を表示させる。
【００６７】
そして、表示制御部３４は、タッチ位置を含む所定の領域に表示されたメニュー画像Ｍを、前述のメニュー画像Ｍの移動先の決定方法によって決定された非パブリック画面領域Ａ２へ移動させ、メニュー画像Ｍが非パブリック画面領域Ａ２まで移動すると、人影画像Ｐ１を画面上から消去する。
【００６８】
このように、メニュー画像Ｍの周囲に、人の形をした影を示す画像Ｐ１が表示されるので、タッチ操作を行ったユーザＵ１は、影を示す画像Ｐ１を視認することによって、自身の後方に居る人が、自身が邪魔となってコンテンツ画像Ｃの全体を視認することができない状態であるということを感覚的に把握することができる。
【００６９】
これにより、タッチ位置を含む所定の領域に表示されたメニュー画像Ｍが非パブリック画面領域Ａ２に向かって急に移動を開始したとしても、ユーザＵ１は、他の人の邪魔とならない位置への移動を促されているというように捉えることができる。
【００７０】
図１０は、パブリック画面領域Ａ１の表示画面に対してタッチ操作を行ったユーザＵ１に対して、パブリック画面領域Ａ１の前から非パブリック画面領域Ａ２の前への移動を促す方法の他の例を説明するための図である。
【００７１】
図１０に示す例では、表示制御部３４は、操作位置特定部３２によってタッチ操作が行われたことが検出されると、操作位置特定部３２によって特定されたタッチ位置に基づいて、そのタッチ位置を含む所定の領域にメニュー画像Ｍを表示させるとともに、そのメニュー画像Ｍの近傍に、タッチ位置からメニュー画像Ｍの移動先に向く矢印の画像Ｐ２を表示させる。
【００７２】
そして、表示制御部３４は、タッチ位置を含む所定の領域に表示されたメニュー画像Ｍを、前述のメニュー画像Ｍの移動先の決定方法によって決定された非パブリック画面領域Ａ２へ移動させ、メニュー画像Ｍが非パブリック画面領域Ａ２まで移動すると、矢印の画像Ｐ２を画面上から消去する。
【００７３】
このように、メニュー画像Ｍの近傍に表示された矢印の画像Ｐ２を、タッチ操作を行ったユーザＵ１に視認させることによって、タッチ位置を含む所定の領域に表示されたメニュー画像Ｍが非パブリック画面領域Ａ２に向かって急に移動を開始したとしても、予め移動することが報知されているので、ユーザＵ１に不快感を与えることなく、ユーザＵ１を非パブリック画面領域Ａ２の前へ導くことができる。
【００７４】
なお、図１０に示す例では、メニュー画像Ｍを画面上に表示させて移動させているが、メニュー画像Ｍを表示させることなく矢印の画像Ｐ２だけを画面上に表示した後、前述のメニュー画像Ｍの移動先の決定方法によって決定された非パブリック画面領域Ａ２へメニュー画像Ｍを表示させてもよい。
【００７５】
図１１は、パブリック画面領域Ａ１の表示画面に対してタッチ操作を行ったユーザＵ１に対して、パブリック画面領域Ａ１の前から非パブリック画面領域Ａ２の前への移動を促す方法のさらに他の例を説明するための図である。
【００７６】
図１１に示す例では、表示制御部３４は、操作位置特定部３２によってタッチ操作が行われたことが検出されると、操作位置特定部３２によって特定されたタッチ位置に基づいて、そのタッチ位置を含む所定の領域にメニュー画像Ｍを表示させるとともに、そのメニュー画像Ｍの近傍に、メニュー画像の表示位置が変更されることを示す文字情報画像Ｐ３を表示させる。
【００７７】
そして、表示制御部３４は、タッチ位置を含む所定の領域に表示されたメニュー画像Ｍを、前述のメニュー画像Ｍの移動先の決定方法によって決定された非パブリック画面領域Ａ２へ移動させ、メニュー画像Ｍが非パブリック画面領域Ａ２まで移動すると、文字情報画像Ｐ３を画面上から消去する。
【００７８】
このように、メニュー画像Ｍの近傍に表示された文字情報画像Ｐ３を、タッチ操作を行ったユーザＵ１に視認させることによって、タッチ位置を含む所定の領域に表示されたメニュー画像Ｍが非パブリック画面領域Ａ２に向かって急に移動を開始したとしても、予め移動することが報知されているので、ユーザＵ１に不快感を与えることなく、ユーザＵ１を非パブリック画面領域Ａ２の前へ導くことができる。
【００７９】
図１２は、パブリック画面領域Ａ１の表示画面に対してタッチ操作を行ったユーザＵ１に対して、パブリック画面領域Ａ１の前から非パブリック画面領域Ａ２の前への移動を促す方法のさらに他の例を説明するための図である。
【００８０】
図１２に示す例では、表示制御部３４は、操作位置特定部３２によってタッチ操作が行われたことが検出されると、操作位置特定部３２によって特定されたタッチ位置に基づいて、そのタッチ位置を含む所定の領域にメニュー画像Ｍを表示させる際に、メニュー画像Ｍを、該メニュー画像Ｍが表示される領域に重複して表示されるコンテンツ画像Ｃが透けて見える態様で表示させる。換言すれば、メニュー画像Ｍを半透明の態様で表示させる。
【００８１】
そして、表示制御部３４は、半透明の態様で表示されたメニュー画像Ｍを、前述のメニュー画像Ｍの移動先の決定方法によって決定された非パブリック画面領域Ａ２へ移動させ、メニュー画像Ｍが非パブリック画面領域Ａ２まで移動すると、メニュー画像Ｍを通常の態様で表示させる。
【００８２】
このように、半透明の態様でメニュー画像Ｍが表示されるので、メニュー画像Ｍが非パブリック画面領域Ａ２に向かって急に移動を開始したとしても、ユーザＵ１に不快感を与えることなく、ユーザＵ１を非パブリック画面領域Ａ２の前へ導くことができる。
【００８３】
なお、図９〜図１２に示す例は、特に支障のない限り、各例を互いに組み合わせてもよい。一例を挙げると、人の形をした影を示す画像Ｐ１とともに、矢印の画像Ｐ２を表示してもよい。
【００８４】
上記の実施形態では、インタラクティブサイネージ１は、ユーザのタッチ操作を検出可能なタッチパネル２０を備え、タッチ操作に応じた動作を実行するように構成されている。しかしながら、他の実施形態では、インタラクティブサイネージ１は、タッチパネル２０に替えて、ユーザのジェスチャー操作を検出するための撮像装置および画像解析手段を、表示手段に対するユーザの操作を検出する操作検出手段として設けてもよい。この場合には、インタラクティブサイネージ１では、ジェスチャー操作に応じた動作が実行される。
【００８５】
また上記の実施形態では、パブリック画面領域解析部３３は、コンテンツ画像Ｃが表示される領域をパブリック画面領域Ａ１として特定し、表示制御部３４は、メニュー画像Ｍが表示される領域とパブリック画面領域Ａ１とが重複する場合に、そのメニュー画像Ｍが非パブリック画面領域Ａ２に表示されるように、そのメニュー画像Ｍの表示位置が変更されるように構成されている。
【００８６】
しかしながら、他の実施形態では、パブリック画面領域解析部３３は、コンテンツデータに埋め込まれた情報に基づいて、コンテンツ画像Ｃにおける予め定める画像が表示される領域をパブリック画面領域Ａ１として特定してもよい。たとえば、コンテンツデータとして、画像を複数のブロックに分割し、人に注目される画像が表示されるブロックを、他のブロックに対して画像の圧縮率を低く設定しているようなコンテンツデータが用いられる場合には、パブリック画面領域解析部３３は、データ量が他に比べて多くなっているブロックが表示される領域をパブリック画面領域Ａ１として特定してもよい。この場合には、コンテンツ画像Ｃにおいて、人にあまり注目されない領域が非パブリック画面領域Ａ２となる。かかる実施形態では、表示制御部３４は、メニュー画像Ｍが表示される領域と人に注目される画像が表示されるパブリック画面領域Ａ１とが重複する場合に、そのメニュー画像Ｍが、人にあまり注目されない領域である非パブリック画面領域Ａ２に表示されるように、そのメニュー画像Ｍの表示位置を変更する。
【００８７】
図１３は、本発明の他の実施形態に係るインタラクティブサイネージ１Ａの構成を示すブロック図である。本実施形態に係るインタラクティブサイネージ１Ａは、前述の実施形態に係るインタラクティブサイネージ１に類似する構成であるので、同一の構成については同一の参照符を付し、重複する説明を省略する場合がある。
【００８８】
本実施形態に係るインタラクティブサイネージ１Ａは、制御装置３０Ａが、データ記憶部３１、操作位置特定部３２、パブリック画面領域解析部３３および表示制御部３４に加えて、パブリック画面領域Ａ１に重複して表示されたメニュー画像Ｍを、非パブリック画面領域Ａ２へ移動させるか否かを判定するメニュー移動判定部３５（表示位置変更判定部）をさらに備えている点において、前述の実施形態に係るインタラクティブサイネージ１と相違する。
【００８９】
図１４は、パブリック画面領域Ａ１に重複して表示されたメニュー画像Ｍを、非パブリック画面領域Ａ２へ移動させない場合の例を説明するための図であり、図１５は、パブリック画面領域Ａ１に重複して表示されたメニュー画像Ｍを、非パブリック画面領域Ａ２へ移動させる場合の例を説明するための図である。
【００９０】
図１４（ａ）および図１５（ａ）は同一の図であり、パブリック画面領域Ａ１に表示されるコンテンツ画像Ｃが地図画像である場合において、ユーザＵ１が、パブリック画面領域Ａ１の表示画面に対して１回目のタッチ操作を行った状態を示している。
【００９１】
図１４（ａ）および図１５（ａ）に示すように、ユーザＵ１が、パブリック画面領域Ａ１の表示画面に対して１回目のタッチ操作を行うと、表示制御部３４は、当該地図画像のコンテンツデータに関連付けて記憶されているメニューデータをデータ記憶部３１から読み出し、メニュー画像Ｍ１をタッチ位置近傍の所定の領域に表示させる。図１４（ａ）および図１５（ａ）に示す例では、「住所表示」および「住所検索」などの選択可能な複数の項目を含んだメニュー画像Ｍ１が表示される。
【００９２】
そして、ユーザＵ１によって、このメニュー画像Ｍ１に対して、「住所表示」を選択する２回目のタッチ操作が行われると、表示制御部３４は、地図画像において１回目のタッチ操作が行われた地点の住所を求め、図１４（ｂ）に示すように、当該住所が記述されたメニュー画像Ｍ２を、タッチ位置近傍の所定の領域に表示させる。
【００９３】
このとき、メニュー移動判定部３５によって、パブリック画面領域Ａ１に重複して表示されたメニュー画像Ｍ２を、非パブリック画面領域Ａ２へ移動させるか否かが判定される。図１４および図１５に示す例では、メニュー画像Ｍ２が、ユーザに対して文字入力を要求しているか否かに基づいて、メニュー画像Ｍ２を非パブリック画面領域Ａ２へ移動させるか否かが判定される。
【００９４】
したがって、図１４（ｂ）の場合には、メニュー画像Ｍ２が単に住所情報を記述しているだけであるので、メニュー移動判定部３５は、メニュー画像Ｍ２を非パブリック画面領域Ａ２へ移動させないと判定する。これにより、メニュー画像Ｍ２は、パブリック画面領域Ａ１に重複して表示される状態が維持される。
【００９５】
一方、ユーザＵ１によって、メニュー画像Ｍ１に対して、「住所検索」を選択する２回目のタッチ操作が行われると、表示制御部３４は、メニュー画像Ｍ１を画面上から消去し、図１５（ｂ）に示すように、住所を文字入力するための入力ボックスＺを含んだメニュー画像Ｍ３を、タッチ位置近傍の所定の領域に表示させる。
【００９６】
このとき、前記と同様に、メニュー移動判定部３５によって、メニュー画像Ｍ３を非パブリック画面領域Ａ２へ移動させるか否かが判定される。図１５（ｂ）の場合には、メニュー画像Ｍ３がユーザに対して文字入力を要求しているので、メニュー移動判定部３５は、メニュー画像Ｍ３を非パブリック画面領域Ａ２へ移動させると判定する。これにより、表示制御部３４は、メニュー画像Ｍ３を非パブリック画面領域Ａ２へ移動させる。
【００９７】
本実施形態では、図１４に示すように、簡単な説明が記述されるだけのメニュー画像Ｍ２が表示される場合には、メニュー移動判定部３５は、表示装置１０に対する操作に長時間を要することはないと判断して、メニュー画像Ｍ２を非パブリック画面領域Ａ２へ移動させないと判定する。
【００９８】
一方、図１５に示すように、文字入力を要求するメニュー画像Ｍ３が表示される場合には、メニュー移動判定部３５は、表示装置１０に対する操作に長時間を要するものと判断して、メニュー画像Ｍ３を非パブリック画面領域Ａ２へ移動させると判定する。
【００９９】
このように、本実施形態では、操作に要する時間が長くなるか否かを考慮して、メニュー画像Ｍを非パブリック画面領域Ａ２へ移動させるか否かが判定される。したがって、表示装置１０に対する一連の操作に要する時間があまり長くならないようなユーザを不必要に移動させることをなくすことができるので、ユーザにとっての利便性を向上させることができる。
【０１００】
なお、比較的短い時間で操作が完了するメニュー画像Ｍとしては、簡単な説明・情報が記述されるだけのメッセージボックスや、「ＯＫ」ボタンなどの操作ボタンが１つだけ設けられているダイアログボックスなどが挙げられる。また、操作に要する時間が長くなるメニュー画像Ｍとしては、前記のように、文字入力を要求するダイアログボックスのほか、記述内容を確認するのに時間を要するような詳細な説明・情報が記述されたメッセージボックスや、必要な情報を得るために複数回の操作を要するようなダイアログボックスなどが挙げられる。複数回の操作を要するようなダイアログボックスとしては、選択可能な複数の項目を含んだ複数のダイアログボックスが階層化されているものが含まれる。
【０１０１】
上記の実施形態ではメニュー移動判定部３５は、操作に要する時間が長くなるか否かを考慮して、メニュー画像Ｍを非パブリック画面領域Ａ２へ移動させるか否かが判定されているが、他の実施形態では、メニュー移動判定部３５は、表示装置１０における表示領域Ａの大きさを考慮して、メニュー画像Ｍを非パブリック画面領域Ａ２へ移動させるか否かを判定してもよい。
【０１０２】
具体的には、メニュー移動判定部３５は、表示領域Ａの大きさが予め定める大きさ以上の場合には、メニュー画像Ｍを非パブリック画面領域Ａ２へ移動させると判定し、表示領域Ａの大きさが予め定める大きさよりも小さい場合には、メニュー画像Ｍを非パブリック画面領域Ａ２へ移動させないと判定する。
【０１０３】
表示領域Ａの大きさが小さい場合には、メニュー画像Ｍを移動させる距離も小さくなるため、メニュー画像Ｍを移動させたとしても、ユーザは、移動することなく操作を続行することができる場合がある。このような場合には、ユーザをパブリック画面領域Ａ１の前から退避させることができないので、メニュー画像Ｍを移動させることによる広告効果の低減などが実現されない。したがって、この場合には、メニュー画像Ｍを不要に動かすことがないようにされる。
【０１０４】
また別の実施形態としては、１回目のタッチ操作に対するメニュー画像Ｍの表示開始時刻からの経過時間を考慮して、メニュー画像Ｍを非パブリック画面領域Ａ２へ移動させるか否かを判定してもよい。
【０１０５】
具体的には、メニュー移動判定部３５は、１回目のタッチ操作に対するメニュー画像Ｍの表示開始時刻からの経過時間が予め定める時間を超えた場合には、メニュー画像Ｍを非パブリック画面領域Ａ２へ移動させると判定し、表示開始時刻からの経過時間が予め定める時間を超えるまでは、メニュー画像Ｍを非パブリック画面領域Ａ２へ移動させないと判定する。このように、パブリック画面領域Ａ１の前に立って操作を行うことができる時間を制限しておいてもよい。なお、この場合には、メニュー画像Ｍが表示されてから、タッチ操作が一定の期間検出されなければ、そのメニュー画像Ｍは画面上から消去される。
【０１０６】
図１６は、メニュー移動判定部３５による判定処理の一例を示すフローチャートである。メニュー移動判定部３５は、１回目のタッチ操作に対するメニュー画像Ｍがパブリック画面領域Ａ１に表示されると、判定処理を開始し、ステップｓ１で、表示領域Ａの大きさが予め定める閾値以上か否かを判定する。表示領域Ａの大きさが予め定める閾値以上である場合には、ステップｓ２に進む。一方、表示領域Ａの大きさが予め定める閾値よりも小さい場合には判定処理を終了する。この場合には、メニュー画像Ｍは、非パブリック画面領域Ａ２へは移動されない。
【０１０７】
ステップｓ２で、メニュー移動判定部３５は、メニュー画像Ｍが、文字入力を要求するものであるか否かを判定する。文字入力を要求するものである場合には、ステップｓ６に進み、ステップｓ６で、メニュー画像Ｍを非パブリック画面領域Ａ２へ移動させると判定して、判定処理を終了する。一方、文字入力を要求するものでない場合には、ステップｓ３に進む。
【０１０８】
ステップｓ３で、メニュー移動判定部３５は、メニュー画像Ｍが、住所などのように位置に関係しない情報であるか否かを判定する。位置に関係しない情報である場合には、ステップｓ４に進む。一方、位置に関係しない情報でない場合には判定処理を終了する。この場合にも、メニュー画像Ｍは、非パブリック画面領域Ａ２へは移動されない。
【０１０９】
ステップｓ４で、メニュー移動判定部３５は、一連の操作を終了するまでに要する操作の回数が予め定める閾値以下か否かを判定する。操作の回数が予め定める閾値よりも多い場合には、ステップｓ６に進み、ステップｓ６で、メニュー画像Ｍを非パブリック画面領域Ａ２へ移動させると判定して、判定処理を終了する。一方、操作の回数が予め定める閾値以下である場合には、ステップｓ５に進む。
【０１１０】
ステップｓ５で、メニュー移動判定部３５は、一連の操作が終了するまでに画面上に表示される文字数が予め定める閾値以下か否かを判定する。表示される文字数が予め定める閾値よりも多い場合には、ステップｓ６に進み、ステップｓ６で、メニュー画像Ｍを非パブリック画面領域Ａ２へ移動させると判定して、判定処理を終了する。一方、表示される文字数が予め定める閾値以下である場合には、判定処理を終了する。この場合にも、メニュー画像Ｍは、非パブリック画面領域Ａ２へは移動されない。
【０１１１】
このように、本実施形態によれば、予め定める判定条件に基づいて、メニュー画像Ｍの表示位置を変更すべきか否かが判定されるので、ユーザを不必要に移動させることをなくすことができ、ユーザにとっての利便性を向上させることができる。
【０１１２】
図１７は、本発明の実施形態に係るインタラクティブサイネージ１におけるメニュー画像Ｍの移動方法の一例を示す図である。表示装置１０の表示画面が水平となるような姿勢でインタラクティブサイネージ１が設置されている場合には、複数人のユーザＵによって同時に操作が行われることが想定される。このような場合には、表示制御部３４は、各ユーザがタッチ操作を行ったタッチ位置に応じて、そのタッチ位置の近くの非パブリック画面領域Ａ２へメニュー画像Ｍをそれぞれ移動させる。
【０１１３】
図１７に示す例では、３人のユーザＡ〜Ｃによるタッチ操作によって表示されたメニュー画像Ｍａ，Ｍｂ，Ｍｃが、タッチ位置の近くの非パブリック画面領域Ａ２へそれぞれ移動された状態を示している。なお、図１７では、メニュー画像Ｍａ，Ｍｂ，Ｍｃを移動させる際に、ユーザＡ〜Ｃによって操作し易いように、メニュー画像Ｍａ，Ｍｂ，Ｍｃが時計回りあるいは反時計回りに９０度回転されている。
【０１１４】
図１８は、図１７に示す状態から、ユーザＡ〜Ｃとは異なるユーザＤがパブリック画面領域Ａ１に対してタッチ操作を行った場合の各メニュー画像Ｍａ〜Ｍｄの配置について説明するための図である。
【０１１５】
３人のユーザＡ〜Ｃによるタッチ操作によって表示されたメニュー画像Ｍａ，Ｍｂ，Ｍｃが、タッチ位置の近くの非パブリック画面領域Ａ２へそれぞれ移動された状態で、さらにユーザＤによってパブリック画面領域Ａ１に対してタッチ操作が行われると、表示制御部３４は、パブリック画面領域Ａ１に表示されるメニュー画像Ｍｄを、そのタッチ位置の近くの非パブリック画面領域Ａ２へ移動させようとする。
【０１１６】
このとき、移動先の非パブリック画面領域Ａ２には、メニュー画像Ｍｃがすでに表示されているので、表示制御部３４は、非パブリック画面領域Ａ２に表示されているメニュー画像Ｍｃと移動対象のメニュー画像Ｍｄとが互いに重複しないように、非パブリック画面領域Ａ２におけるメニュー画像Ｍｃ，Ｍｄの配置位置を決定する。これにより、複数人のユーザＵによって同時に操作を行わせることができる。
【０１１７】
図１９は、本発明の他の実施形態に係るインタラクティブサイネージ１Ｂの構成を示すブロック図である。本実施形態に係るインタラクティブサイネージ１Ｂは、前述の実施形態に係るインタラクティブサイネージ１に類似する構成であるので、同一の構成については同一の参照符を付し、重複する説明を省略する場合がある。
【０１１８】
本実施形態に係るインタラクティブサイネージ１Ｂは、表示装置１０の周辺の予め定める領域、具体的には、表示装置１０の表示画面から予め定める距離の範囲を撮像する撮像装置４０を備え、さらに、制御装置３０Ｂが、データ記憶部３１、操作位置特定部３２、パブリック画面領域解析部３３および表示制御部３４に加えて、撮像装置４０によって撮像された映像に基づいて、前記予め定める領域に、表示装置１０に対して操作を行っているユーザ以外の人が侵入したか否かを判定する侵入判定部３６をさらに備えている点において、前述の実施形態に係るインタラクティブサイネージ１と相違する。
【０１１９】
本実施形態では、侵入判定部３６は、撮像装置４０によって撮像された表示画面周辺の映像に基づいて、公知の顔認識技術を利用して、表示装置１０に対して操作を行っているユーザ以外の人が、予め定める領域に侵入したか否かを判定する。
【０１２０】
そして、表示制御部３４は、侵入判定部３６による判定結果に基づいて、予め定める領域に表示装置１０に対して操作を行っているユーザ以外の人が存在しない場合には、パブリック画面領域Ａ１にメニュー画像Ｍが表示された状態を維持する。換言すれば、表示装置１０に対して操作を行っているユーザ以外に、予め定める領域に人が存在しない場合には、メニュー画像Ｍは非パブリック画面領域Ａ２に移動されず、そのユーザは、パブリック画面領域Ａ１の前に立ったまま操作を続行することができる。
【０１２１】
また、パブリック画面領域Ａ１の前に立ってユーザが操作を行っているときに、侵入判定部３６によって当該ユーザ以外の人が予め定める領域に侵入したと判定されると、表示制御部３４は、パブリック画面領域Ａ１に重複して表示されるメニュー画像Ｍを、非パブリック画面領域Ａ２へ移動させる。このとき、表示装置１０に対して操作を行っているユーザが、メニュー画像Ｍの表示位置の変更に伴って移動する際、予め定める領域に侵入してきた人と表示画面との間を横切って移動することのないように、メニュー画像Ｍの表示位置を変更することが好ましい。
【０１２２】
また、メニュー画像Ｍの表示位置を変更する際には、図９〜図１２に示すような方法を利用して、表示装置１０に対して操作を行っているユーザを、パブリック画面領域Ａ１の前から非パブリック画面領域Ａ２の前への移動を促すことが好ましい。
【０１２３】
さらに、メニュー画像Ｍの表示位置を変更する際、たとえばユーザが入力ボックスに対して文字入力を行っている場合には、急にメニュー画像を移動させると誤入力してしまうおそれがあるので、入力が行われない期間が予め定める時間を超えたときに、メニュー画像Ｍを移動させるのが好ましい。
【０１２４】
なお、これまでユーザが操作しメニュー画像Ｍを表示させる例をあげたが、単に表示装置１０の前にユーザが立った場合に、図９〜図１２に示すような方法を利用して、表示装置１０の前に立ったユーザを、パブリック画面領域Ａ１の前から非パブリック画面領域Ａ２の前への移動を促す構成であってもよい。
【０１２５】
なお、メニュー画像Ｍの移動中には、メニュー画像Ｍに対する入力をすべて無効とする構成であってもよく、または、ユーザによって入力が行われるとメニュー画像Ｍの移動を一旦停止し、入力が行われない期間が予め定める時間を超えたときに、再度メニュー画像Ｍを移動させる構成であってもよい。
【０１２６】
上述した実施形態では、プログラムは、半導体メモリまたはハードディスク装置などの記憶装置に記憶されているが、これらの記憶装置に限定されるものではなく、コンピュータで読取り可能な記録媒体に記録されていてもよい。記録媒体は、たとえば図示しない外部記憶装置としてプログラム読取装置を設け、そこに記録媒体を挿入することによって読取り可能な記録媒体であってもよいし、または他の装置の記憶装置であってもよい。
【０１２７】
いずれの記録媒体であっても、記録媒体に記憶されているプログラムがコンピュータからアクセスされて実行される構成であればよい。すなわち、いずれの記録媒体であっても、記録媒体からプログラムが読み出され、読み出されたプログラムが、記憶装置のプログラム記憶エリアに記憶されて、そのプログラムが実行される構成であればよい。さらに通信ネットワークを介して他の装置からダウンロードされてプログラム記憶エリアに記憶させてもよい。ダウンロード用のプログラムは、予めコンピュータの記憶装置に記憶しておくか、または別な記録媒体からプログラム記憶エリアにインストールしておく。
【０１２８】
本体と分離可能に構成される記録媒体は、たとえば磁気テープ／カセットテープなどのテープ系の記録媒体、フロッピー（登録商標）ディスクなどの磁気ディスクのディスク系の記録媒体、フレキシブルディスク／ハードディスクなどの磁気ディスクもしくはＣＤ−ＲＯＭ（Compact Disk Read Only Memory）／ＭＯ（Magneto Optical disk）／ＭＤ（Mini Disk）／ＤＶＤ（Digital Versatile Disk）などの光ディスクのディスク系の記録媒体、ＩＣ（Integrated Circuit）カード（メモリカードを含む）／光カードなどのカード系の記録媒体、またはマスクＲＯＭ／ＥＰＲＯＭ（Erasable Programmable Read Only 
Memory）／ＥＥＰＲＯＭ（Electrically Erasable Programmable Read Only Memory）／フラッシュＲＯＭなどの半導体メモリを含む固定的にプログラムを担持する記録媒体であってもよい。
【符号の説明】
【０１２９】
１  インタラクティブサイネージ
１０  表示装置
２０  タッチパネル
３０  制御装置
３１  データ記憶部
３２  操作位置特定部
３３  パブリック画面領域解析部
３４  表示制御部
Ａ  表示領域
Ａ１  パブリック画面領域
Ａ２  非パブリック画面領域
Ｃ  コンテンツ画像
Ｍ  メニュー画像
【図１】
2014016904.tif 000003
【図２】
2014016904.tif 000004
【図３】
2014016904.tif 000005
【図４】
2014016904.tif 000006
【図５】
2014016904.tif 000007
【図６】
2014016904.tif 000008
【図７】
2014016904.tif 000009
【図８】
2014016904.tif 000010
【図１１】
2014016904.tif 000011
【図１２】
2014016904.tif 000012
【図１３】
2014016904.tif 000013
【図１４】
2014016904.tif 000014
【図１５】
2014016904.tif 000015
【図１６】
2014016904.tif 000016
【図１７】
2014016904.tif 000017
【図１８】
2014016904.tif 000018
【図１９】
2014016904.tif 000019
【図９】
2014016904.tif 000020
【図１０】
2014016904.tif 000021